(57)【要約】      （修正有）【課題】全ての測定箇所を測定する過程で不手際があったとしても、測定作業の途中で不手際があったことを気付くことができる測定データ管理装置を提供する。【解決手段】複数の点検部位を有する対象物の点検に用いられるものであって、各点検部位に設定された箇所を測定する工具から送信された測定データを受信し、測定データが示す測定値を表示し、各点検部位に応じた数の部位領域と、部位領域内に対し、部位領域に対応する点検部位に設定された測定箇所に応じた数配置された測定値入力欄と、各測定値入力欄に入力された測定値とを表示する表示制御部と、いずれかの部位領域を選択する選択信号を受け付ける選択信号受付部と、測定工具から新たな測定データを受信した場合に、選択信号受付部で受け付けた選択信号によって選択された部位領域内の測定値が入力されていない測定値入力欄に対し、新たな測定データに係る測定値を入力する測定値入力部とを具備する。【選択図】図２
2020149246.tif 000002
【特許請求の範囲】
【請求項１】
複数の点検部位を有する点検対象物の点検に用いられるものであって、前記各点検部位に設定された測定箇所を測定する測定工具から送信された測定データを受信し、前記測定データが示す測定値を表示するものであり、
前記各点検部位に応じた数の部位領域と、前記部位領域内に対し、当該部位領域に対応する前記点検部位に設定された前記測定箇所に応じた数配置された測定値入力欄と、前記各測定値入力欄に入力された前記測定値とを表示する表示制御部と、
前記いずれかの部位領域を選択する選択信号を受け付ける選択信号受付部と、
前記測定工具から新たな測定データを受信した場合に、前記選択信号受付部で受け付けた選択信号によって選択された前記部位領域内の前記測定値が入力されていない前記測定値入力欄に対し、前記新たな測定データに係る測定値を入力する測定値入力部とを具備することを特徴とする測定データ管理装置。
【請求項２】
前記選択信号受付部で先の選択信号を受け付けてから新たな選択信号を受け付けるまでの間に前記測定工具から受信した前記測定データの受信数をカウントする受信数カウント部と、
前記受信数カウント部でカウントされた受信数と、前記先の選択信号で選択された前記部位領域内の前記測定値入力欄数と、を比較する受信数比較部と、
前記測定工具から新たな測定データを受信した場合に、前記受信数比較部で前記受信数が前記測定値入力欄数より多いと判断されると、前記先の選択信号で選択された前記部位領域内の全ての測定値入力欄へ前記測定値の入力が完了している旨を報知する報知部とをさらに具備している請求項１記載の測定データ管理装置。
【請求項３】
前記報知部が、前記選択信号受信部で新たな選択信号が受信されると共に、前記受信数比較部で前記受信数が前記入力領域数より少ないと判断されると、前記先の選択信号で選択された前記部位領域内の全ての測定値入力欄へ前記測定値の入力が完了していない旨を報知するものである請求項２記載の測定データ管理装置。
【請求項４】
前記各測定値入力欄に入力された測定値のいずれかが閾値を越えている否かを判断する測定値判断部をさらに具備し、
前記表示制御部が、前記測定値判断部でいずれかの測定値が閾値を超えていると判断された場合に、前記測定値が入力された前記測定値入力欄が設けられた部位領域内の表示を変化させる請求項２又は３のいずれかに記載の測定データ管理装置。
【請求項５】
前記請求項１乃至４のいずれかに記載の測定データ管理装置と、
前記測定データ管理装置に前記測定データを送信する測定工具とを備える測定データ管理システム。
【請求項６】
前記測定値入力欄に入力された前記測定値に基づき点検シートデータを作成する点検シート作成部をさらに備える請求項５記載の測定データ管理システム。
【請求項７】
複数の点検部位を有する点検対象物の点検に用いられるものであって、前記各点検部位に設定された測定箇所を測定する測定工具から送信された測定データを受信し、前記測定データが示す測定値を表示するために用いられるプログラムであり、
前記各点検部位に応じた数の部位領域と、前記部位領域内に対し、当該部位領域に対応する前記点検部位に設定された前記測定箇所に応じた数配置された測定値入力欄と、前記各測定値入力欄に入力された前記測定値とを表示する表示制御部と、
前記いずれかの部位領域を選択する選択信号を受け付ける選択信号受付部と、
前記測定工具から新たな測定データを受信した場合に、前記選択信号受付部で受け付けた選択信号によって選択された前記部位領域内の前記測定値が入力されていない前記測定値入力欄に対し、前記新たな測定データに係る測定値を入力する測定値入力部としての機能を発揮させることを特徴とする測定データ管理装置用プログラム。
【発明の詳細な説明】
【技術分野】
【０００１】
本発明は、測定データ管理装置、測定データ管理システム、及び、測定データ管理装置用プログラムに関するものである。
【背景技術】
【０００２】
近年、点検対象物の点検部位に設定された測定箇所を測定工具で測定し、当該測定工具から送信された測定データを受信して管理する測定データ管理装置が開発されている。
【０００３】
例えば、特許文献１には、測定データ管理装置として、測定箇所を測定する測定工具から送信される測定データが示す測定値を順次表示し、全ての測定データが示す測定値を一覧表示する構成のものが開示されている。
【０００４】
しかし、前記特許文献１に係る測定データ管理装置を用いて、複数の測定箇所を測定する測定工具から送信される測定データを管理する場合には、例えば、作業者が、一部の測定箇所の測定を実施し忘れる不手際や一部の測定箇所の測定を重複して実施する不手際（以下、これらをまとめて不手際ともいう）を行っていたとしても、作業者は、複数の測定箇所を全て測定したと判断した後でなければ、その不手際に気付くことができない。すなわち、作業者は、測定箇所を全て測定したと判断した後、一覧表示された測定値の数と測定箇所の数とが一致していないことを確認し初めて前記不手際に気が付く。
【０００５】
また、前記不手際に気付いたとしても、どの測定箇所に不手際があったか特定することができず、作業者は、再度全ての測定箇所を測定し直さなければならない。
【先行技術文献】
【特許文献】
【０００６】
【特許文献１】特開２００６−３２０９８４号
【発明の概要】
【発明が解決しようとする課題】
【０００７】
そこで、本発明は、複数の測定箇所に対して測定作業を実施する場合に、作業者が、全ての測定箇所を測定する過程で不手際があったとしても、当該測定作業の途中で不手際があったことを気付くことができる測定データ管理装置を提供することを主な課題とするものである。
【課題を解決するための手段】
【０００８】
すなわち、本発明に係る測定データ管理装置は、複数の点検部位を有する点検対象物の点検に用いられるものであって、前記各点検部位に設定された測定箇所を測定する測定工具から送信された測定データを受信し、前記測定データが示す測定値を表示するものであり、前記各点検部位に応じた数の部位領域と、前記部位領域内に対し、当該部位領域に対応する前記点検部位に設定された前記測定箇所に応じた数配置された測定値入力欄と、前記各測定値入力欄に入力された前記測定値とを表示する表示制御部と、前記いずれかの部位領域を選択する選択信号を受け付ける選択信号受付部と、前記測定工具から新たな測定データを受信した場合に、前記選択信号受付部で受け付けた選択信号によって選択された前記部位領域内の前記測定値が入力されていない前記測定値入力欄に対し、前記新たな測定データに係る測定値を入力する測定値入力部とを具備することを特徴とするものである。
【０００９】
このようなものであれば、点検対象物の各点検部位に応じた数の部位領域と、部位領域内に対し、当該部位領域に対応する点検部位に設定された測定箇所に応じた数配置された測定値入力欄と、各測定値入力欄に入力された測定値とを表示し、測定工具から新たな測定データを受信した場合に、選択信号受付部で受け付けた選択信号によって選択された部位領域内の測定値が入力されていない測定値入力欄に対し、新たな測定データに係る測定値が入力されるように構成したので、作業者は、選択信号を入力する際に、点検部位単位で不手際があったか否かを確認することができる。また、仮に不手際があったとしても、作業者は、点検部位単位で測定箇所を測定し直せばよく、作業効率が格段に向上する。
【００１０】
ここで、点検対象物として四輪自動車を例示し、点検部位及び測定箇所を説明すると、例えば、点検部位は、各車輪が支持された足回り部位等であり、測定箇所は、締付トルクを測定するホイールナット、タイヤの溝深さを測定する箇所、ブレーキパットの厚みを測定する箇所等である。すなわち、点検対象物が車両である場合には、点検部位は、車軸を基準として分けられた部位、より具体的には、車軸の両端を基準として分けられた部位ともいえる。
【００１１】
具体的には、前記選択信号受付部で先の選択信号を受け付けてから新たな選択信号を受け付けるまでの間に前記測定工具から受信した前記測定データの受信数をカウントする受信数カウント部と、前記受信数カウント部でカウントされた受信数と、前記先の選択信号で選択された前記部位領域内の前記測定値入力欄数と、を比較する受信数比較部と、前記測定工具から新たな測定データを受信した後に、前記受信数比較部で前記受信数が前記測定値入力欄数より多いと判断された場合に、前記先の選択信号で選択された前記部位領域内の全ての測定値入力欄へ前記測定値の入力が完了している旨を報知する報知部とをさらに具備しているものであってもよい。
【００１２】
このようなものであれば、作業者は、点検部位単位で一部の測定箇所の測定を重複して実施する不手際があったことを即座に気付くことができる。
【００１３】
また、前記報知部が、前記選択信号受信部で新たな選択信号が受信されると共に、前記受信数比較部で前記受信数が前記入力領域数より少ないと判断された場合に、前記先の選択信号で選択された前記部位領域内の全ての測定値入力欄へ前記測定値の入力が完了していない旨を報知するものであってもよい。
【００１４】
このようなものであれば、作業者は、点検部位単位で一部の測定箇所の測定を実施し忘れる不手際があったことを即座に気付くことができる。
【００１５】
また、前記各測定値入力欄に入力された測定値のいずれかが閾値を越えている否かを判断する測定値判断部をさらに具備し、前記表示制御部が、前記測定値判断部でいずれかの測定値が閾値を超えていると判断された場合に、前記測定値が入力された前記測定値入力欄が設けられた部位領域の表示を変化させるものであってもよい。
【００１６】
このようなものであれば、作業者は、測定箇所に不良がある点検部位を容易に認識することができる。
【００１７】
また、前記各測定値入力欄に入力された前記測定値に基づき点検シートデータを作成する点検シート作成部をさらに具備するものであってもよい。
【００１８】
また、本発明に係る測定データ管理システムは、前記測定データ管理装置と、前記測定データ管理装置に前記測定データを送信する測定工具とを備えるものである。
【００１９】
また、本発明に係る測定データ管理装置用プログラムは、複数の点検部位を有する点検対象物の点検に用いられるものであって、前記各点検部位に設定された測定箇所を測定する測定工具から送信された測定データを受信し、前記測定データが示す測定値を表示するために用いられるプログラムであり、前記各点検部位に応じた数の部位領域と、前記部位領域内に対し、当該部位領域に対応する前記点検部位に設定された前記測定箇所に応じた数配置された測定値入力欄と、前記各測定値入力欄に入力された前記測定値とを表示する表示制御部と、前記いずれかの部位領域を選択する選択信号を受け付ける選択信号受付部と、前記測定工具から新たな測定データを受信した場合に、前記選択信号受付部で受け付けた選択信号によって選択された前記部位領域内の前記測定値が入力されていない前記測定値入力欄に対し、前記新たな測定データに係る測定値を入力する測定値入力部としての機能を発揮させることを特徴とするものである。
【発明の効果】
【００２０】
このように構成した測定データ管理装置によれば、点検対象物の全ての測定箇所に対して測定作業を実施する場合に、作業者が、全ての測定箇所を測定する過程で不手際があったとしても当該測定作業の途中で不手際があったことを気付くことができる。
【図面の簡単な説明】
【００２１】
【図１】実施形態に係る測定データ管理システムの全体構成を示す模式図である。
【図２】実施形態に係る測定データ管理装置を示すブロック図である。
【図３】実施形態に係る測定データ管理装置の表示部の画面を示す模式図である。
【図４】実施形態に係る測定データ管理装置の動作を示すフローチャートである。
【図５】その他の実施形態に係る測定データ管理装置を示すブロック図である。
【発明を実施するための形態】
【００２２】
以下に、本発明に係る測定データ管理システムを図面に基づいて説明する。
【００２３】
本発明に係る測定データ管理システムは、例えば、自動車、鉄道車両、航空機やその他の種々の装置を含む点検対象物の点検において使用されるものである。
【００２４】
＜実施形態＞  本実施形態に係る測定データ管理システム１００は、図１に示すように、測定工具１０と、測定工具１０に有線又は無線によって接続される測定データ管理装置２０と、を備えている。
【００２５】
なお、本実施形態では、測定工具１０として、締付トルクを測定しながら調節する締付工具であるトルクレンチを例示して説明する。なお、測定工具の他の例としては、デプスゲージやノギス等が挙げられる。
【００２６】
前記測定工具１０は、締付トルクを測定する測定機構１１と、測定データ管理装置２０と通信する通信手段１２と、を備えたものである。なお、通信手段１２が、測定機構１１で測定された測定値を示す測定データを送信するデータ送信部１２ａとしての機能を有している。
【００２７】
前記測定データ管理装置２０は、ＣＰＵ、メモリ、タッチパネルディスプレイＤ（以下、ディスプレイＤともいう）などを有するものであり、具体的には、測定工具１０と無線により通信可能な例えばスマートフォンやタブレット端末等といった、作業者が携帯可能なモバイル端末である。そして、測定データ管理装置２０は、前記メモリに格納された測定データ管理装置用プログラムに基づいて、図２に示すように、表示制御部２１、選択信号受信部２２、データ受信部２３、受信数カウント部２４、受信数比較部２５、測定値入力部２６、報知部２７等としての機能を発揮するように構成されている。なお、測定データ管理装置２０は、モバイル端末に限定されず、ノート型ＰＣや据置型ＰＣであってもよい。
【００２８】
前記表示制御部２１は、図３に示すように、ディスプレイＤに対し、各点検部位に応じた数の部位領域Ｄ１と、前記部位領域Ｄ１内に対し、当該部位領域Ｄ１に対応する点検部位に設定された測定箇所に応じた数配置された測定値入力欄Ｄ２と、前記各測定値入力欄Ｄ２に入力された測定値ｍとを表示するものである。具体的には、表示制御部２１は、ディスプレイＤに対し、点検対象物を示す点検対象画像Ｗを表示すると共に、点検対象画像Ｗの周囲に各部位領域Ｄ１を表示している。なお、表示制御部２１は、点検対象画像Ｗが示す点検対象物の各点検部位の位置に対応させて部位領域Ｄ１を表示している。
【００２９】
より具体的には、本実施形態では、点検対象物を各車輪にホイールナットを四本備えた四輪自動車とし、点検部位を四輪自動車の各車輪が支持される足回り部位とし、測定箇所を締付トルクを測定するホイールナットとしている。そして、本実施形態の表示制御部２１は、ディスプレイＤに対し、四輪自動車を示す点検対象画像Ｗを表示すると共に、点検対象画像Ｗが示す四輪自動車の各足回り部位の位置に対応させて部位領域Ｄ１を表示している。また、表示制御部２１は、各部位領域Ｄ１内に対し、当該部位領域Ｄ１に対応する足回り部位に取り付けられる車輪のホイールナットの数に応じた数の測定値入力欄Ｄ２を表示している。
【００３０】
前記選択信号受付部２２は、いずれかの部位領域Ｄ１を選択する選択信号を受け付けるものである。なお、本実施形態の選択信号受付部２２は、作業者がディスプレイＤに表示されたいずれかの部位領域Ｄ１をタップすることによって入力される選択信号を受け付けるようになっている。また、本実施形態の選択信号受付部２２は、点検開始信号と共に入力される初期の部位領域を選択する初期の選択信号も受け付けるようになっている。なお、本実施形態においては、ディスプレイＤのタッチパネル機能を利用して選択信号を入力するようになっているが、ディスプレイＤがタッチパネル機能を有していない場合には、例えば、マウスやキーボード等の入力機器を利用して選択信号を入力するようにしてもよく、また、音声入力等の他の入力手段によって選択信号を入力するようにしてもよい。
【００３１】
前記データ受信部２３は、データ送信部１２ａから送信された測定データを受信するものである。
【００３２】
前記受信数カウント部２４は、選択信号受付部２２で先の選択信号を受け付けてから新たな選択信号を受け付けるまでの間に測定工具１０から受信した測定データの受信数をカウントするものである。
【００３３】
前記受信数比較部２５は、受信数カウント部２４でカウントされた受信数と、先の選択信号で選択された部位領域Ｄ１内の測定値入力欄Ｄ２数と、を比較するものである。
【００３４】
前記測定値入力部２６は、データ受信部２３が測定工具１０から新たな測定データを受信した場合に、選択信号受付部２２で受け付けた選択信号によって選択された部位領域Ｄ１内の測定値ｍが入力されていない測定値入力欄Ｄ２に対し、当該新たな測定データが示す測定値ｍを入力するものである。具体的には、測定値入力部２６は、データ受信部２３が測定工具１０から新たな測定データを受信した後に、受信数比較部２５で受信数が測定値入力欄Ｄ２数より多くない、言い換えれば、受信数が測定値入力欄Ｄ２数以下と判断された場合に、先の選択信号によって選択された部位領域Ｄ１内の測定値ｍが入力されていない測定値入力欄Ｄ２に対し、当該新たな測定データが示す測定値ｍを入力するものである。
【００３５】
また、前記測定値入力部２６は、選択信号受信部２２が新たな選択信号を受け付けると共に、受信数比較部２５で受信数が測定値入力欄Ｄ２数と同数と判断された場合に、その後にデータ受信部２３で受信した新たな測定データが示す測定値を、新たな選択信号で選択された部位領域Ｄ１内の測定値ｍが入力されていない測定値入力欄Ｄ２に入力するようになっている。すなわち、先の選択信号によって選択された部位領域Ｄ１から新たな選択信号によって選択された部位領域Ｄ１に切り替えている。
【００３６】
前記報知部２７は、データ受信部２３が測定工具１０から新たな測定データを受信した場合に、受信数比較部２５で受信数が測定値入力欄Ｄ２数より多いと判断されると、先の選択信号で選択された部位領域Ｄ１内の全ての測定値入力欄Ｄ２へ測定値ｍの入力が完了している旨を報知するものである。
【００３７】
また、前記報知部２７は、選択信号受信部２２で新たな選択信号が受信されると共に、受信数比較部２５で受信数が測定値入力欄Ｄ２数より少ないと判断されると、先の選択信号で選択された部位領域Ｄ１内の全ての測定値入力欄Ｄ２へ測定値ｍの入力が完了していない旨を報知するものである。
【００３８】
なお、前記報知部２７は、報知手段を介して報知するものであり、報知手段としては、ディスプレイＤや図示しないスピーカー等が挙げられる。本実施形態の報知部２７は、報知内容を示す文字をディスプレイＤに表示させると共に、報知内容を示す音をスピーカーから流すようになっている。
【００３９】
次に、本実施形態に係る測定データ管理装置の動作を図４に基づき説明する。
【００４０】
先ず、選択信号受信部２２が、初期の選択信号（以下、先の選択信号ともいう）の受け付けを待つ第１待機状態となる（ステップＳ１）。そして、第１待機状態において、先の選択信号を受付けると、データ受部２３が、測定工具１０から測定データを受信を待つ第２待機状態となる（ステップＳ２）。なお、第２待機状態において、データ受信部２３が、測定工具１０から測定データを受信するまでは、初期の選択信号を適宜変更できるようになっている。
【００４１】
次に、第２待機状態において、データ受信部２３が測定データを受信すると、受信数カウント部２４が、データ受信部２３で受信した測定データの受信数をカウントする（ステップＳ３）。
【００４２】
次に、受信数カウント部２４が受信数をカウントすると、受信数比較部２５が、受信数カウント部２４でカウントされた受信数と、先の選択信号によって選択された部位領域Ｄ１内の測定値入力欄Ｄ２数と、を比較し、受信数が測定値入力欄Ｄ２数よりも多いか否かを判断する（ステップＳ４）。
【００４３】
そして、受信数比較部２４が、受信数が測定値入力欄Ｄ２数より多くない、言い換えれば、受信数が測定値入力欄Ｄ２数以下と判断した場合に、測定値入力部２６が、先の選択信号によって選択された部位領域Ｄ１の測定値ｍが入力されていない測定値入力欄Ｄ２へデータ受信部２３で受信した測定データが示す測定値ｍを入力する（ステップＳ５）。
【００４４】
一方、受信数比較部２４が、受信数が測定値入力欄Ｄ２数より多いと判断した場合には、報知部２７が、先の選択信号によって選択された部位領域Ｄ１の全ての測定値入力欄Ｄ２へ測定値ｍの入力が完了していない旨を報知する（ステップＳ６）。
【００４５】
また、待機状態において、データ受信部２３における測定データの受信がないルート、或いは、ステップＳ５又はステップＳ６を通るルートを経由した状態で、選択信号受信部２２が新たな選択信号を受付けると（ステップＳ７）、受信数比較部２５は、受信数が測定値入力欄Ｄ２数と同数か否かを判断する（ステップＳ８）。ここで、待機状態において、データ受信部２３における測定データの受信がないルート、或いは、ステップＳ５又はステップＳ６を通るルートを経由すると、必ず受信数が測定値入力欄Ｄ２数以下になった状態となる。このため、この状態において、受信数比較部２５は、受信数が測定値入力欄Ｄ２数と同数か否かを判断することにより、結果として、受信数比較部２５は、受信数が測定値入力欄Ｄ２数より少ないか否かを判断することになる。
【００４６】
そして、受信数比較部２５が、受信数が測定値入力欄Ｄ２数と同数と判断した場合には、先の選択信号によって選択された部位領域Ｄ１が新たな選択信号によって選択された部位領域Ｄ１に切り替えられる（ステップＳ９）。なお、その後は、再び第２待機状態へ移行する。
【００４７】
一方、受信数比較部２５が、受信数が測定値入力欄Ｄ２数と同数でないと判断した場合、言い換えれば、受信数が測定値入力欄Ｄ２数より少ないと判断した場合には、先の選択信号によって選択された部位領域Ｄ１の全ての測定値入力欄Ｄ２へ測定値ｍの入力が完了した旨を報知する（ステップＳ１０）。その後は、再び第２待機状態へ移行する。
【００４８】
なお、測定データ管理装置２０は、選択信号によって選択する部位領域Ｄ１を変更しながら、測定値入力部２６によって全ての部位領域Ｄ１に設けられた全ての測定値入力欄Ｄ２へ測定値ｍが入力されるまで、ステップＳ２〜ステップＳ１０を繰り返すようになっている。
【００４９】
＜その他の実施形態＞  その他の実施形態としては、例えば、測定データ管理装置２０が、図５に示すように、測定値の閾値を記憶する閾値記憶部２８と、各測定値入力欄Ｄ２に入力された測定値ｍのいずれかが閾値を越えている否かを判断する測定値判断部２９をさらに具備するものであってもよい。この場合、表示制御部２１が、測定値判断部２９でいずれかの測定値ｍが閾値を超えていると判断された場合に、測定値ｍが入力された測定値入力欄Ｄ２が設けられた部位領域Ｄ１の表示を変化させるように構成すればよい。
【００５０】
具体的には、測定値ｍがタイヤの溝深さである場合には、予め定められたタイヤの溝として最低限必要な深さを閾値とし、測定値ｍが閾値以下となっている場合に、当該測定値ｍが入力された測定値入力欄Ｄ２が設けられた部位領域Ｄ１の表示を変化させるように構成すればよい。また、測定値ｍがブレーキパッドの厚みである場合には、予め定められたブレーキパッドとして最低限必要な厚みを閾値とし、測定値ｍが閾値以下となっている場合に、当該測定値ｍが入力された測定値入力欄Ｄ２が設けられた部位領域Ｄ１の表示を変化させるように構成すればよい。
【００５１】
この場合、測定値判定部２９は、受信数比較部２５で受信数が測定値入力欄Ｄ２数と同数と判断された場合に、前記判定を実行するようにしてもよい。また、測定値判定部２９は、測定値入力部２６によって測定値入力欄Ｄ２に測定値ｍが入力される毎に、前記判定を実行するようにしてもよい。
【００５２】
なお、部位領域Ｄ１の表示を変化させる方法としては、例えば、該当する部位領域Ｄ１のみを他の部位領域Ｄ１と異なる色で表示したり、閾値を超える測定値ｍが入力された測定値入力欄Ｄ２を他の測定値入力欄Ｄ２と異なる色で表示したり、閾値を超える測定値ｍを他の測定値ｍと異なる色で表示することが挙げられる。
【００５３】
その他、本発明は前記各実施形態に限られず、その趣旨を逸脱しない範囲で種々の変形が可能であるのは言うまでもない。
【符号の説明】
【００５４】
１００  測定データ管理システム
１０  測定工具
２０  測定データ管理装置
Ｄ  ディスプレイ
Ｄ１  部位領域
Ｄ２  測定値入力欄
ｍ  測定値
２１  表示制御部
２２  選択信号受信部
２３  データ受信部
２４  受信数カウント部
２５  受信数比較部
２６  点検結果入力部
２７  報知部
２８  閾値記憶部
２９  測定値判定部
【図１】
2020149246.tif 000003
【図２】
2020149246.tif 000004
【図３】
2020149246.tif 000005
【図４】
2020149246.tif 000006
【図５】
2020149246.tif 000007